(57)【要約】【課題】本発明は、第１および第２の竿管を継ぎ合わせる作業を容易にかつ安定して行なうことができる釣竿を得ることにある。【解決手段】釣竿1は、第１の竿管2と、この第１の竿管2よりも径が小さい第２の竿管3とを同軸状に継ぎ合わせて構成される。第１の竿管2は、第２の竿管3が取り外し可能に挿入される開口7を有する継ぎ端部4を含み、この継ぎ端部4の内周面2aに、第１および第２の竿管2, 3よりも軟らかい弾力を有する材料で造られた筒状の挿入ガイド13を設けている。挿入ガイド13の少なくとも一部は、第１の竿管2よりも内径が小さい。【選択図】      図１
2007259741.tif 000002
【特許請求の範囲】
【請求項１】
第１の竿管と、この第１の竿管よりも径が小さい第２の竿管とを同軸状に継ぎ合わせる釣竿であって、
上記第１の竿管は、上記第２の竿管が取り外し可能に挿入される開口を有する継ぎ端部を含み、この継ぎ端部の内周面に、上記第１および第２の竿管よりも軟らかい弾力を有する材料で造られた筒状の挿入ガイドを設け、この挿入ガイドの少なくとも一部は、上記第１の竿管よりも内径が小さいことを特徴とする釣竿。
【請求項２】
請求項１の記載において、上記挿入ガイドは、上記第１の竿管の開口から上記第１の竿管の外に突出する突出部を有することを特徴とする釣竿。
【請求項３】
請求項１又は請求項２の記載において、上記挿入ガイドは、上記開口よりも上記第１の竿管の軸方向に沿う内側に位置する終端を有し、上記挿入ガイドの内径は、上記挿入ガイドの終端と上記第１の竿管との境界部分で最も小さいとともに、この境界部分から上記開口の方向に進むに従い拡大されていることを特徴とする釣竿。
【請求項４】
請求項３の記載において、上記挿入ガイドは、上記第１の竿管と上記第２の竿管とを継ぎ合わせた時に、上記第２の竿管を取り囲む内周面を有し、上記挿入ガイドの内周面は、上記境界部分から上記開口の方向に進むに従い上記第２の竿管から遠ざかる方向に傾斜するテーパ面であることを特徴とする釣竿。
【請求項５】
請求項１又は請求項２の記載において、上記挿入ガイドは、上記開口よりも上記第１の竿管の軸方向に沿う内側に位置する終端を有し、上記挿入ガイドの内径は、上記終端と上記開口との間の中間部で最も小さいとともに、上記挿入ガイドの終端と上記第１の竿管との境界部分では、上記第１の竿管の内径と同等であることを特徴とする釣竿。
【請求項６】
請求項３又は請求項５の記載において、上記挿入ガイドの終端と上記第１の竿管との境界部分に、上記第１の竿管の径方向に沿う段差が形成されていることを特徴とする釣竿。
【請求項７】
請求項１ないし請求項３のいずれかの記載において、上記継ぎ端部は、その内周面に周方向に連続する凹部を有し、上記挿入ガイドは、上記凹部に取り付けられていることを特徴とする釣竿。
【請求項８】
請求項７の記載において、上記凹部は、上記第１の竿管の軸方向に沿う底面を有し、上記凹部の底面は、上記開口の方向に進むに従い上記第１の竿管の径方向外側に向けて傾斜するテーパ面であることを特徴とする釣竿。
【請求項９】
請求項１の記載において、上記挿入ガイドは、上記継ぎ端部を上記第１の竿管の外側から連続して覆う延長部を有することを特徴とする釣竿。
【請求項１０】
請求項１の記載において、上記第１の竿管の継ぎ端部を補強する補強部材をさらに備えていることを特徴とする釣竿。
【請求項１１】
請求項１０の記載において、上記補強部材は、上記挿入ガイドに埋め込まれていることを特徴とする釣竿。
【請求項１２】
請求項１又は請求項２の記載において、上記挿入ガイドは、上記第１の竿管に対し取り外し可能であることを特徴とする釣竿。
【発明の詳細な説明】
【技術分野】
【０００１】
本発明は、複数の竿管を軸方向に継ぎ合わせて構成される釣竿に係り、特に竿管同士の継ぎ合わせ部分の構造に関する。
【背景技術】
【０００２】
例えば並継ぎの釣竿は、第１の竿管と、この第１の釣竿に同軸状に嵌合される第２の竿管とを備えている。第１および第２の竿管は、例えば繊維強化樹脂のような軽量でかつ剛性を有する材料によって造られている。
【０００３】
この種の釣竿では、手元側に位置する第１の竿管の先端内径が第２の竿管の後端外径よりも大きいとともに、この第１の竿管の先端に、第２の竿管の後端が挿入可能な開口を有する継ぎ端部が形成されている。第１の竿管の継ぎ端部は、例えば口金を装着したり、糸を巻き付けることで、第２の竿管を継ぎ合わせる時の開口の割れや変形を防いでいる。
【０００４】
ところで、並継ぎの釣竿において、第１の竿管と第２の竿管との継ぎ合わせ部にカバーを取り付けたものが知られている。カバーは、エラストマーのようなゴム状弾性体で構成されるとともに、大径部と小径部とを有している。カバーの大径部は、第１の竿管の継ぎ端部の外周に嵌め込まれている。カバーの小径部は、第１の竿管の継ぎ端部から第１の竿管の軸方向に突出している。
【０００５】
第１の竿管と第２の竿管とを継ぎ合わせる時は、第２の竿管の後端がカバーの小径部に差し込まれるとともに、この小径部を通して第１の竿管の継ぎ端部の内側に嵌め込まれる。これにより、カバーが第１の竿管と第２の竿管との間に跨り、これら第１および第２の竿管の継ぎ合わせ部を外側から覆っている（例えば、特許文献１参照）。
【０００６】
さらに、第１の竿管と第２の竿管との継ぎ合わせ部に、弾性を有する保持筒を装着した伸縮竿が知られている。保持筒は、弾性を有する柔軟な材料で形成されるとともに、第１の竿管の先端から第２の竿管に向けて突出している。
【０００７】
保持筒は、第２の竿管の後端を取り囲む内周面と、この内周面から突出する複数の凸部とを有している。凸部は、保持筒の軸方向に間隔を存して並んでいるとともに、第１の竿管と第２の竿管との相対的な伸縮を規制するように、第２の竿管の後端の外周面に弾性的に押し付けられている（例えば、特許文献２参照）
【特許文献１】特開２００４−２４１７３号公報
【特許文献２】実開昭５９−７５２８１号公報
【発明の開示】
【発明が解決しようとする課題】
【０００８】
特許文献１に開示された釣竿によると、カバーの小径部は第２の竿管の後端を迎え入れるように、第１の竿管の継ぎ端部から突出している。
【０００９】
しかしながら、カバーの大径部は、第１の竿管の継ぎ端部の外周に嵌め込まれているので、第１の竿管の内周面とカバーの小径部の内周面との境界部分に、第２の竿管の後端と向かい合う段差が生じるのを避けられない。
【００１０】
特にカバーは柔軟なゴム状弾性体で構成されているので、小径部の内側に第２の竿管の後端を挿入した時に、小径部が弾性変形して第１の竿管の径方向にずれてしまい、小径部と第１の竿管との同軸度が失われることがあり得る。
【００１１】
この結果、第２の竿管の後端をカバーの小径部を介して第１の竿管の内側に挿入する時に、第２の竿管の後端が第１の竿管の継ぎ端部に引っ掛かってしまい、第２の竿管の挿入作業が妨げられるといった不具合がある。
【００１２】
そのため、特許文献１のカバーは、第２の竿管を第１の竿管の内側に誘導する機能を有しておらず、第１の竿管と第２の竿管とを継ぎ合わす作業を容易に行うことを何等想定していない。
【００１３】
一方、特許文献２に開示された伸縮竿によると、保持筒は、第２の竿管の後端を迎え入れるように第１の竿管の端部から突出している。しかしながら、保持筒は、第１の竿管の外周に取り付けられているので、第１の竿管の内周面と保持筒の内周面との境界部分に段差が生じている。
【００１４】
加えて、第２の竿管を取り囲む保持筒の内周面には、複数の凸部が形成されているので、第２の竿管の後端を保持筒に挿入する時に、第２の竿管の後端が凸部に引っ掛かったり、保持筒と第１の竿管との境界部分に生じる段差に突き当たるのを避けられない。
【００１５】
したがって、特許文献２の保持筒にしても、第２の竿管を第１の竿管の内側に誘導する機能を欠いており、第１の竿管と第２の竿管とを継ぎ合わす作業を容易に行うことを何等想定していない。
【００１６】
本発明の目的は、第１の竿管と第２の竿管とを継ぎ合わす時に、第１の竿管の継ぎ端部の内側に第２の竿管を滑らかに誘導することができ、第１および第２の竿管を継ぎ合わせる作業を容易にかつ安定して行なうことができる釣竿を得ることにある。
【課題を解決するための手段】
【００１７】
上記目的を達成するため、本発明の一つの形態に係る釣竿は、  
第１の竿管と、この第１の竿管よりも径が小さい第２の竿管とを同軸状に継ぎ合わせる釣竿であって、
上記第１の竿管は、上記第２の竿管が取り外し可能に挿入される開口を有する継ぎ端部を含み、この継ぎ端部の内周面に、上記第１および第２の竿管よりも軟らかい弾力を有する材料で造られた筒状の挿入ガイドを設けるとともに、この挿入ガイドの少なくとも一部は、上記第１の竿管よりも内径が小さいことを特徴としている。
【発明の効果】
【００１８】
本発明によれば、第１の竿管と第２の竿管とを継ぎ合わす時に、第２の竿管は挿入ガイドを径方向に押し広げながら挿入ガイドを貫通することになり、この第２の竿管が挿入ガイドを押し広げる段階で、第２の竿管と第１の竿管との同軸度が確保される。そのため、第２の竿管を挿入ガイドの内周面に沿って第１の竿管の継ぎ端部の内側に滑らかに誘導することができる。
【００１９】
さらに、挿入ガイドは柔軟であるので、たとえ第１の竿管の軸線と第２の竿管の軸線が多少ずれていても、このずれ分を吸収するように弾性変形し、継ぎ端部に対する第２の竿管の挿入を許容する。それとともに、挿入ガイドと第１の竿管の内周面との境界部分に開口の方向に露出する段差が存在しないので、第２の竿管が段差に突き当たったり、引っ掛かることもなく、第１の竿管に第２の竿管を安定して挿入することができる。
【００２０】
よって、第１の竿管と第２の竿管とを継ぎ合わせる作業を簡単かつ確実に行うことができる。
【発明を実施するための最良の形態】
【００２１】
以下本発明の第１の実施の形態を、図１ないし図３に基づいて説明する。
【００２２】
図１は、例えばキャスティングロッドのような釣竿１を開示している。釣竿１は、元竿管となる第１の竿管２と、穂先竿管となる第２の竿管３とを備えている。第１および第２の竿管２，３は、例えば強化繊維に合成樹脂材料を含浸させた繊維強化プリプレグを用いて中空の円筒状に成形されており、夫々軽量でかつ剛性を有している。
【００２３】
本発明において、第１の竿管２は元竿管に特定されるものではなく、例えば元竿管と穂先竿管との間に位置する中竿管であってもよい。さらに、釣竿１にしてもキャスティングロッドに限らず、例えば船竿でもよいとともに、その竿管の継ぎ数も２に限らない。
【００２４】
第１の竿管２と第２の竿管３は、並継ぎ方式により同軸状に継ぎ合わされている。この並継ぎを実現するため、第１の竿管２は、その先端に第１の継ぎ端部４を有するとともに、第２の竿管３は、その後端に第２の継ぎ端部５を有している。第１の継ぎ端部４の内径Ｄ１は、第２の継ぎ端部５の外径Ｄ２よりも大きく形成されている。したがって、第２の竿管３の第２の継ぎ端部５は、第１の竿管２の第１の継ぎ端部４の内側に所定の締め代で嵌まり込むようになっている。
【００２５】
なお、第１の継ぎ端部４の内径Ｄ１とは、後述する挿入ガイド１３との境界部分の内径のことであり、第２の継ぎ端部５の外径Ｄ２とは、第２の継ぎ端部５の後端部の外径のことである。
【００２６】
図２および図３に示すように、第１の竿管２の第１の継ぎ端部４は、第２の竿管３の第２の継ぎ端部５が取り外し可能に差し込まれる開口７と、この開口７に連なる凹部８とを有している。凹部８は、第１の竿管２の内周面２ａに形成されている。凹部８は、第１の竿管２の周方向に連続するとともに、第１の竿管２の軸方向に沿って同軸状に形成されている。
【００２７】
凹部８は、第１の竿管２の軸方向に沿う底面９を有している。底面９は、第１の竿管２の軸線Ｏ１と平行であり、これにより、凹部８の深さｄが凹部８の全長に亘って一定となっている。凹部８の底面９は、第１の竿管２の端面２ｂに開口しており、実質的に第１の竿管２の内周面２ａの一部となっている。凹部８の底面９と第１の竿管２の端面２ｂとが交差する部分は、略直角に尖る端縁１０となっている。端縁１０は、第１の継ぎ端部４の開口７を規定している。
【００２８】
第１の竿管２の内周面２ａと凹部８の底面９との境界部分に段差１１が形成されている。段差１１は、第１の竿管２の径方向に沿うとともに、上記開口７よりも第１の竿管２の軸方向に沿う内側に入り込んでいる。
【００２９】
第１の継ぎ端部４の凹部８に挿入ガイド１３が取り付けられている。挿入ガイド１３は、内径Ｄ３が一定の中空の円筒状をなしている。挿入ガイド１３は、例えばゴム、エラストマー、ＥＶＡ樹脂あるいはコルクのような材料で造られており、第１および第２の竿管２，３よりも柔軟であり、かつ弾力を有している。
【００３０】
挿入ガイド１３は、凹部８の底面９に接着剤や両面接着テープを用いて固着したり、あるいは第１の竿管２の成形時に凹部８に一体的に組み込むことが可能であり、第１の竿管２に対する取り付け方は任意である。
【００３１】
挿入ガイド１３の内径Ｄ３は、第１の竿管２の内径Ｄ１および第２の竿管３の外径Ｄ２よりもやや小さく設定されている。そのため、挿入ガイド１３の内周面１３ａは、第１の竿管２の内周面よりも径方向内側に張り出している。挿入ガイド１３の内周面１３ａは、第１の竿管２と第２の竿管３とを継ぎ合わせた時に、第２の竿管３を取り囲むとともに、第２の竿管３の外周面３ａに弾性的に接触する。言い換えると、第１の竿管２と第２の竿管３とを継ぎ合わせた状態では、挿入ガイド１３は、第１の継ぎ端部４と第２の継ぎ端部５との間で圧縮される。
【００３２】
挿入ガイド１３は、突出部１４を有している。突出部１４は、第１の継ぎ端部４の開口７から第１の竿管２の外方に突出している。突出部１４の突出長さＬは、１mm〜５mm程度が好ましい。突出部１４の突出端は、円弧状に形成されている。これにより、突出部１４の突出端では、挿入ガイド１３の内径Ｄ３が次第に拡がっており、この挿入ガイド１３の内側に第２の竿管３の第２の継ぎ端部５を容易に挿入し得るようになっている。
【００３３】
さらに、挿入ガイド１３は、突出部１４の反対側に終端１５を有している。終端１５は、上記開口７よりも第１の竿管２の軸方向に沿う内側に位置している。挿入ガイド１３の終端１５は、上記段差１１に突き当たっている。これにより、第１の継ぎ端部４に対する挿入ガイド１３の位置決めがなされるとともに、第１の竿管２の内側に入り込む方向への挿入ガイド１３のずれが阻止されている。
【００３４】
第１の竿管２と第２の竿管３とを継ぎ合わせるには、まず、第２の竿管３の第２の継ぎ端部５を挿入ガイド１３の内側に挿入する。この挿入により、第２の継ぎ端部５が挿入ガイド１３の内周面１３ａに接触するとともに、挿入ガイド１３を径方向に均等に押し広げながら挿入ガイド１３を貫通する。
【００３５】
挿入ガイド１３は、第１の継ぎ端部４の凹部８に同軸状に取り付けられているので、第２の継ぎ端部５が挿入ガイド１３を押し広げる段階で、第１の継ぎ端部４と第２の継ぎ端部５との同軸度が確保される。このため、第２の竿管３は、挿入ガイド１３の内周面１３ａに沿って第１の継ぎ端部４の内側に誘導される。
【００３６】
第１の竿管２と第２の竿管３とを継ぎ合わせる時に、第１の竿管２の軸線Ｏ１と第２の竿管３の軸線Ｏ２とが多少ずれたり、軸線Ｏ１と軸線Ｏ２とが交差するように第２の竿管３が第１の竿管２に対し傾くことがあり得る。
【００３７】
この際、第１および第２の竿管２，３は、共に繊維強化樹脂材料で成形されており、剛性が高い。そのため、第１の竿管２の軸線Ｏ１と第２の竿管３の軸線Ｏ２とを同軸状に位置合わせしない限り、第１の竿管２の内周面２ａと第２の竿管３の外周面３ａとが互いに干渉し合い、第１の竿管２の内側に第２の竿管３を挿入することができなくなる。
【００３８】
しかるに、上記第１の実施の形態によると、第２の竿管３が差し込まれる挿入ガイド１３は、柔軟性を有するので、この挿入ガイド１３が第１および第２の竿管２，３の間のずれや傾きを吸収するように弾性的に変形する。
【００３９】
したがって、第２の竿管３を挿入ガイド１３の内側に差し込んだ以降は、第２の竿管３を挿入ガイド１３の内周面１３ａに沿わせて第１の継ぎ端部４の内側に誘導することができる。
【００４０】
それとともに、挿入ガイド１３の内径Ｄ３は、第１の竿管２の内径Ｄ１よりも小さいので、挿入ガイド１３の終端１５と第１の竿管２との間の境界部分に、開口７と向かい合うように第１の竿管２の内側に突出する段差は存在しない。このため、第２の竿管３の第２の継ぎ端部５の先端は、第１の竿管２と挿入ガイド１３との間の境界部分に引っ掛かることなく滑らかに第１の竿管２の内側に誘導されることになる。
【００４１】
この結果、第１の竿管２の第１の継ぎ端部４に第２の竿管３の第２の継ぎ端部５を挿入し易くなり、第１および第２の竿管２，３を継ぎ合わせる作業を簡単かつ安定して行なうことができる。
【００４２】
加えて、挿入ガイド１３の突出部１４は、第１の竿管２の端面２ｂよりも第１の竿管２の外に突出しているので、例えば第１の竿管２と第２の竿管３とを継ぎ合わせる時に、誤って第１の竿管２を端面２ｂの方向から釣場の上に落下させたとしても、端面２ｂよりも先に突出部１４が釣場に接触する。
【００４３】
したがって、第１の竿管２の端面２ｂを突出部１４により保護することができ、第１の釣竿２の端面２ｂが傷付き難くなる。それとともに、突出部１４は柔軟であるので、落下による衝撃を吸収する。よって、第１の竿管２に加わる衝撃を緩和でき、第１の竿管２の損傷を防止できる。
【００４４】
本発明は、上記第１の実施の形態に特定されるものではなく、発明の主旨を逸脱しない範囲内で種々変形して実施可能である。
【００４５】
例えば、図４は本発明の第２の実施の形態を開示している。
【００４６】
この第２の実施の形態は、凹部８および挿入ガイド１３の形状が上記第１の実施の形態と相違している。これ以外の第１の竿管２の構成は、第１の実施の形態と同様である。
【００４７】
図４に示すように、凹部８の底面９は、段差１１から開口７の方向に進むに従い第１の竿管２の径方向外側に向けて傾斜するテーパ面２１となっている。これにより、凹部８の深さｄが開口７から段差１１の方向に進むに従い連続的に減少している。
【００４８】
さらに、凹部８に取り付けられる挿入ガイド１３にしても、その外周面１３ｂが凹部８の底面９に沿うようなテーパ面２２となっている。この結果、挿入ガイド１３の肉厚Ｔは、突出部１４に対応する位置で最も大きく、終端１５に対応する位置で最も小さくなっている。
【００４９】
このような構成によると、挿入ガイド１３は、第２の竿管３が最初に接する突出部１４の肉厚Ｔが最も大きいので、この突出部１４の剛性が高くなる。このため、挿入ガイド１３の内側に第２の竿管３を差し込む時に、突出部１４の過度の変形が抑制され、第２の竿管３の挿入作業をより容易にかつ安定して行なうことができる。
【００５０】
図５は、本発明の第３の実施の形態を開示している。
【００５１】
第３の実施の形態は、挿入ガイド１３の形状に関する事項が上記第１の実施の形態と相違している。これ以外の第１の竿管２の構成は、第１の実施の形態と同様である。
【００５２】
図５に示すように、挿入ガイド１３の内周面１３ａは、その終端１５から突出部１４の方向に進むに従い第１の竿管２の径方向外側に向けて傾斜するテーパ面３１となっている。これにより、挿入ガイド１３の内径Ｄ３は、上記挿入ガイド１３の終端１５の位置で最も小さく、ここから突出部１４の突出端に近づくに従い次第に拡大されている。本実施の形態では、突出部１４の突出端での挿入ガイド１３の内径Ｄ３は、第２の竿管３の外径Ｄ２よりも大きくなっている。
【００５３】
なお、挿入ガイド１３の内周面１３ａのうち、その終端１５に位置する開口縁に例えば面取りを施した場合、挿入ガイド１３の内径Ｄ３は、上記開口縁から面取りの長さ分だけ離間した位置で最も小さくなる。
【００５４】
このような構成によると、挿入ガイド１３の突出部１４の内径Ｄ３が第２の竿管３の外径Ｄ２よりも大きいので、第２の竿管３の第２の継ぎ端部５を突出部１４の内側に容易に挿入することができる。
【００５５】
第２の継ぎ端部５を突出部１４の内側に挿入した以降、第２の継ぎ端部５は、挿入ガイド１３のテーパ面３１に沿って挿入ガイド１３の終端１５に向けて滑らかに誘導されるとともに、その過程で挿入ガイド１３を径方向外側に押し広げながら挿入ガイド１３を貫通する。
【００５６】
そのため、第２の竿管３の第２の継ぎ端部５を第１の竿管２に対し同軸状に位置合わせしつつ、第２の継ぎ端部５を第１の竿管２の内側に滑らかに導くことができる。よって、第１の竿管２と第２の竿管３とを継ぎ合わせる作業をより安定して行なえるといった利点がある。
【００５７】
図６は、本発明の第４の実施の形態を開示している。
【００５８】
第４の実施の形態は、上記第２の実施の形態を発展させたものである。この第４の実施の形態では、挿入ガイド１３の内周面１３ａが、その終端１５から突出部１４の方向に進むに従い第１の竿管２の径方向外側に向けて傾斜するテーパ面４１となっている。
【００５９】
これにより、挿入ガイド１３の内径Ｄ３は、上記挿入ガイド１３の終端１５の位置で最も小さく、ここから突出部１４の突出端に近づくに従い次第に拡大されている。本実施の形態では、突出部１４の突出端での挿入ガイド１３の内径Ｄ３は、第２の竿管３の外径Ｄ２よりも大きくなっている。
【００６０】
さらに、テーパ面４１の傾斜角度は、挿入ガイド１３の外周面１３ｂのテーパ面２１の傾斜角度と略同等となっている。そのため、挿入ガイド１３の肉厚Ｔは、挿入ガイド１３の全長に亘って略一定となっている。
【００６１】
図７は、本発明の第５の実施の形態を開示している。
【００６２】
この第５の実施の形態は、挿入ガイド１３の形状に関する事項が上記第１の実施の形態と相違している。これ以外の第１の竿管２の構成は、第１の実施の形態と同様である。
【００６３】
図７に示すように、挿入ガイド１３の内周面１３ａは、第１のテーパ面５１と第２のテーパ面５２とを組み合わすことで構成されている。第１のテーパ面５１は、挿入ガイド１３の終端１５から挿入ガイド１３の軸方向に沿う中間部５３の方向に進むに従い第１の竿管２の径方向内側に向けて傾斜している。第２のテーパ面５２は、挿入ガイド１３の中間部５３から突出部１４の方向に進むに従い第１の竿管２の径方向外側に向けて傾斜している。
【００６４】
言い換えると、第１のテーパ面５１と第２のテーパ面５２は、互いに逆向きに傾斜している。そのため、挿入ガイド１３は、その中間部５３に対応する位置に内径Ｄ３が最も小さい小径部５４を有し、この小径部５４の内径Ｄ３は、第１の竿管２の内径Ｄ１および第２の竿管３の外径Ｄ２よりも小さくなっている。
【００６５】
さらに、挿入ガイド１３の終端１５の内径Ｄ３は、第１の竿管２の内径Ｄ１と同等となっている。この同等とは、内径Ｄ３が内径Ｄ１と同一あるいは内径Ｄ１よりも僅かに小さいことを意味する。
【００６６】
それとともに、突出部１４の突出端での挿入ガイド１３の内径Ｄ３は、第２の竿管３の外径Ｄ２よりも大きくなっている。
【００６７】
このような構成によれば、挿入ガイド１３の突出部１４の内径Ｄ３が第２の竿管３の外径Ｄ２よりも大きいので、第２の竿管３の第２の継ぎ端部５を突出部１４の内側に容易に挿入することができる。
【００６８】
第２の継ぎ端部５を突出部１４の内側に挿入した以降、第２の継ぎ端部５は、挿入ガイド１３の第２のテーパ面５２に沿って挿入ガイド１３の中間部５３に向けて滑らかに誘導され、その過程で挿入ガイド１３の小径部５４を径方向外側に向けて均等に押し広げる。これにより、第２の竿管３の第２の継ぎ端部５が第１の竿管２に対し同軸状に位置合わせされる。
【００６９】
第２の竿管３の第２の継ぎ端部５が小径部５４を通過すると、第２の継ぎ端部５は、挿入ガイド１３の第１のテーパ面５１にガイドされて第１の竿管２の内側に導かれる。
【００７０】
挿入ガイド１３の終端１５では、その内径Ｄ３が第１の竿管２の内径Ｄ１と同等となっている。これにより、第２の竿管３の第２の端部５は、上記境界部分に引っ掛かることなく滑らかに第１の竿管２の内側に誘導されることになる。よって、第１の竿管２と第２の竿管３とを継ぎ合わせる作業を安定して行なうことができる。
【００７１】
図８は、本発明の第６の実施の形態を開示している。
【００７２】
この第６の実施の形態は、挿入ガイド１３の形状に関する事項が上記第３の実施の形態と相違している。これ以外の第１の竿管２の構成は、第３の実施の形態と同様である。
【００７３】
図８に示すように、挿入ガイド１３は、その突出部１４から第１の竿管２の径方向外側に向けて張り出すフランジ部６１を有している。フランジ部６１は、挿入ガイド１３と一体化されており、第１の竿管２の端面２ｂを第１の竿管２の外側から連続して覆っている。フランジ部６１の外径は、第１の竿管２の外径と同等となっている。
【００７４】
このような構成によると、挿入ガイド１３のフランジ部６１によって第１の竿管２の端面２ｂを保護することができる。このため、例えば第２の竿管３を第１の竿管２に継ぎ合わせる時に、第２の継ぎ端部５との干渉による第１の竿管２の端面２ｂの傷付きを防止できる。
【００７５】
さらに、挿入ガイド１３のフランジ部６１が第１の竿管２の端面２ｂに引っ掛かった状態となるので、挿入ガイド１３の内側に第２の竿管３の第２の継ぎ端部５を挿入する時に、挿入ガイド１３が段差１１の方向にずれ動き難くなる。このため、挿入ガイド１３を第１の竿管２の第１の継ぎ端部４にしっかりと保持することができ、挿入ガイド１３の内側に第２の竿管３の第２の継ぎ端部５を挿入する作業を安定して行なうことができる。
【００７６】
図９は、本発明の第７の実施の形態を開示している。
【００７７】
第７の実施の形態は、上記第６の実施の形態をさらに発展させたものであって、挿入ガイド１３のフランジ部６１の外周部に第１の継ぎ端部４の外周面４ａに被さるように延長された延長部７１が形成されている。延長部７１は、第１の継ぎ端部４の周方向に連続するとともに、第１の継ぎ端部４の外周面４ａに接している。
【００７８】
このような構成によれば、挿入ガイド１３のフランジ部６１および延長部７１が、第１の竿管２の端面２ｂから第１の継ぎ端部４の外周面４ａに至る領域に接触する。このため、挿入ガイド１３と第１の継ぎ端部４との接触面積が増大し、挿入ガイド１３の内側に第２の竿管３の第２の継ぎ端部５を挿入する時に、挿入ガイド１３が段差１１の方向にずれ動き難くなる。
【００７９】
したがって、挿入ガイド１３を第１の竿管２の第１の継ぎ端部４にしっかりと保持することができ、挿入ガイド１３の内側に第２の竿管３の第２の継ぎ端部５を挿入する作業を安定して行なうことができる。
【００８０】
しかも、挿入ガイド１３のフランジ部６１および延長部７１は、互いに協働して第１の継ぎ端部４の外周面４ａと第１の竿管２の端面２ｂとで規定される角部を覆って保護している。このため、例えば釣竿１をキャスティングした時に、第１の竿管２の第１の継ぎ端部４が釣場の岩や石に当ったとしても、第１の継ぎ端部４の角部の欠けや傷付きを防止することができる。
【００８１】
図１０は、本発明の第８の実施の形態を開示している。
【００８２】
この第８の実施の形態は、挿入ガイド１３の形状に関する事項が上記第４の実施の形態と相違している。これ以外の第１の竿管２の構成は、第４の実施の形態と同様である。
【００８３】
図１０に示すように、挿入ガイド１３は、その突出部１４から第１の竿管２の径方向外側に向けて張り出すフランジ部８１を有している。フランジ部８１は、挿入ガイド１３と一体化されており、第１の竿管２の端面２ｂを第１の竿管２の外側から連続して覆っている。フランジ部８１の外径は、第１の竿管２の外径と同等となっている。
【００８４】
このような構成においても、挿入ガイド１３のフランジ部８１によって第１の竿管２の端面２ｂを保護できるので、上記第６の実施の形態と同様の効果を得ることができる。
【００８５】
図１１は、本発明の第９の実施の形態を開示している。
【００８６】
第９の実施の形態は、上記第８の実施の形態をさらに発展させたものであって、挿入ガイド１３のフランジ部８１の外周部に第１の継ぎ端部４の外周面４ａに被さるように延長された延長部９１が形成されている。延長部９１は、第１の継ぎ端部４の周方向に連続するとともに、第１の継ぎ端部４の外周面４ａに接している。
【００８７】
このような構成によれば、延長部９１の存在により挿入ガイド１３と第１の継ぎ端部４との接触面積が増大するので、上記第７の実施の形態と同様の効果を得ることができる。
【００８８】
図１２は、本発明の第１０の実施の形態を開示している。
【００８９】
この第１０の実施の形態は、第１の竿管２の第１の継ぎ端部４を補強する点が上記第３の実施の形態と相違している。これ以外の第１の竿管２の構成は、第３の実施の形態と同様である。
【００９０】
図１２に示すように、第１の竿管２の第１の継ぎ端部４の外周面４ａに円筒状の補強部材１０１が取り付けられている。補強部材１０１は、例えばステンレス、アルミニウム合金、真鍮、チタンのような金属材料、あるいはＡＢＳ樹脂、ナイロン、ポリカーボネート、ポリオキシメチレン樹脂のような硬質樹脂材料又は繊維強化樹脂材料により形成することができる。本実施形態の補強部材１０１は、例えば接着等の手段により第１の継ぎ端部４の外周面４ａに固定されている。
【００９１】
このような構成によれば、補強部材１０１によって第１の継ぎ端部４の外周面４ａを保護することができ、第１の継ぎ端部４の損傷を防止できる。
【００９２】
さらに、第１の継ぎ端部４の開口７の周囲の剛性が高まり、開口７の割れや変形を防止できる。そのため、第１の竿管２と第２の竿管３とを継ぎ合わす際の開口７の破損を未然に防止することができる。
【００９３】
なお、図１２に二点鎖線で示すように、補強部材１０１の一端に径方向内側に向けて延びるフランジ部１０２を一体に形成し、このフランジ部１０２で第１の竿管２の端面２ｂを連続して覆うようにしてもよい。
【００９４】
さらに、例えば綿やポリエステル等の補強用の糸状体を第１の継ぎ端部４の外周面４ａに巻き付けるとともに、この糸状体をエポキシ樹脂やウレタン樹脂等の糸止め剤で固定することで、第１の継ぎ端部４を補強するようにしてもよい。
【００９５】
図１３は、本発明の第１１の実施の形態を開示している。
【００９６】
この第１１の実施の形態は、第１の竿管２の第１の継ぎ端部４を補強する点が上記第４の実施の形態と相違している。これ以外の第１の竿管２の構成は、第４の実施の形態と同様である。
【００９７】
図１３に示すように、円筒状の補強部材１１１が凹部８の底面９と挿入ガイド１３の外周面１３ｂとの間に介在されている。補強部材１１１は、上記第１０の実施の形態と同様の材料によって形成することができる。挿入ガイド１３は、その外周面１３ｂに周方向に連続する装着溝１１２を有している。補強部材１１１は、装着溝１１２内に埋め込むとともに、接着等の手段により挿入ガイド１３に固定することが望ましい。
【００９８】
このような構成によれば、補強部材１１１が第１の竿管２の外部に露出せずに済むとともに、第１の継ぎ端部４の外周面４ａに段差を付けずに第１の継ぎ端部４を補強できる。このため、第１の竿管２の外観が良好となる。
【００９９】
さらに、補強部材１１１が挿入ガイド１３と第１の継ぎ端部４との間で挟み込まれるので、挿入ガイド１３がずれたり脱落し難くなる。特に第２の竿管３の第２の継ぎ端部５を第１の竿管２の第１の継ぎ端部４から引き抜く時に、挿入ガイド１３が開口７から脱落し難くなる。
【０１００】
図１４および図１５は、本発明の第１２の実施の形態を開示している。
【０１０１】
この第１２の実施の形態は、挿入ガイド１３を第１の竿管２に対し取り外し可能とした点が上記第１の実施の形態と相違している。それ以外の釣竿１の構成は、基本的に第１の実施の形態と同様である。
【０１０２】
図１４および図１５に示すように、第１の竿管２の第１の継ぎ端部４に補強管１２１が取り付けられている。補強管１２１は、例えばステンレス、アルミニウム合金、真鍮、チタンのような金属材料、あるいはＡＢＳ樹脂、ナイロン、ポリカーボネート、ポリオキシメチレン樹脂のような硬質樹脂材料又は繊維強化樹脂材料により円筒状に形成されている。
【０１０３】
補強管１２１は、第１の部分１２２ａと第２の部分１２２ｂとを備えている。第１の部分１２２ａは、第１の継ぎ端部４の外周面４ａに被さっており、この第１の部分１２２ａの内周面に雌ねじ部１２３が形成されている。第２の部分１２２ｂは、第１の継ぎ端部４から軸方向に同軸状に突出している。
【０１０４】
そのため、補強管１２１は、実質的に第１の継ぎ端部４の一部となっており、この補強管１２１の第２の部分１２２ｂの突出端が第２の竿管３の第２の継ぎ端部５を受け入れる開口１２４を兼ねている。
【０１０５】
第１の継ぎ端部４の外周面４ａに雄ねじ部１２５が形成されている。補強管１２１の雌ねじ部１２３は、雄ねじ部１２５にねじ込まれている。このねじ込みにより、補強管１２１の第１の部分１２２ａが第１の継ぎ端部４に取り外し可能に連結されている。
【０１０６】
補強管１２１の第２の部分１２２ｂの内周面に挿入ガイド１２６が接着等の手段により固定されている。挿入ガイド１２６の一端は、補強管１２１を第１の継ぎ端部４にねじ込んだ時に、第１の竿管２の端面２ｂに突き当たっている。
【０１０７】
挿入ガイド１２６は、例えばゴム、エラストマー、ＥＶＡ樹脂あるいはコルクのような第１の竿管２および補強管１２１よりも柔軟で、かつ弾力を有する材料で造られている。挿入ガイド１２６は、補強管１２１の成形時に、この補強管１２１と一体成形するようにしてもよい。
【０１０８】
挿入ガイド１２６は、突出部１２７を有している。突出部１２７は、補強管１２１の開口１２４から補強管１２１の外に突出している。さらに、挿入ガイド１２６の内周面１２６ａは、その一端から突出部１２７の方向に進むに従い径方向外側に向けて傾斜するテーパ面１２８となっている。
【０１０９】
このため、挿入ガイド１２６の内径Ｄ３は、挿入ガイド１２６の一端で最も小さく、ここから突出部１２７の方向に進むに従い次第に拡大されている。
【０１１０】
本実施の形態では、挿入ガイド１２６の一端の内径Ｄ３は、第１の竿管２の内径Ｄ１および第２の竿管３の外径Ｄ２よりも小さくなっている。よって、挿入ガイド１２６の内周面１２６ａは、第２の竿管３の第２の継ぎ端部５を挿入ガイド１２６の内側に挿入した時に、第２の竿管３の外周面３ａに接触する。
【０１１１】
このような構成によれば、補強管１２１と第１の継ぎ端部４とを相対的に回転させるだけの簡単な作業で、第１の継ぎ端部４に補強管１２１を連結したり、第１の継ぎ端部４から補強管１２１を取り外すことができる。
【０１１２】
このため、長期間に亘る釣竿１の使用により、例えば挿入ガイド１２６が摩耗したり、弾力が劣化した場合には、第１の継ぎ端部４から補強管１２１を取り外すことで、挿入ガイド１２６を第１の竿管２から分離させることができる。
【０１１３】
よって、挿入ガイド１２６の交換作業を第１の竿管２から離れた場所で行うことができ、挿入ガイド１２６の交換作業を容易に行うことができる。
【図面の簡単な説明】
【０１１４】
【図１】本発明の第１の実施の形態に係る釣竿の断面図。
【図２】本発明の第１の実施の形態において、挿入ガイドを取り付けた第１の竿管の断面図。
【図３】図２のＦ３の部分を拡大して示す断面図。
【図４】本発明の第２の実施の形態において、第１の竿管と挿入ガイドとの位置関係を示す断面図。
【図５】本発明の第３の実施の形態において、第１の竿管と挿入ガイドとの位置関係を示す断面図。
【図６】本発明の第４の実施の形態において、第１の竿管と挿入ガイドとの位置関係を示す断面図。
【図７】本発明の第５の実施の形態において、第１の竿管と挿入ガイドとの位置関係を示す断面図。
【図８】本発明の第６の実施の形態において、第１の竿管と挿入ガイドとの位置関係を示す断面図。
【図９】本発明の第７の実施の形態において、第１の竿管と挿入ガイドとの位置関係を示す断面図。
【図１０】本発明の第８の実施の形態において、第１の竿管と挿入ガイドとの位置関係を示す断面図。
【図１１】本発明の第９の実施の形態において、第１の竿管と挿入ガイドとの位置関係を示す断面図。
【図１２】本発明の第１０の実施の形態において、第１の竿管と挿入ガイドとの位置関係を示す断面図。
【図１３】本発明の第１１の実施の形態において、第１の竿管と挿入ガイドとの位置関係を示す断面図。
【図１４】本発明の第１２の実施の形態に係る釣竿の断面図。
【図１５】図１４のＦ１５の部分を拡大して示す断面図。
【符号の説明】
【０１１５】
１…釣竿、２…第１の竿管、３…第２の竿管、４…継ぎ端部（第１の継ぎ端部）、７，１２４…開口、１３，１２６…挿入ガイド。
【図１】
2007259741.tif 000003
【図２】
2007259741.tif 000004
【図３】
2007259741.tif 000005
【図４】
2007259741.tif 000006
【図５】
2007259741.tif 000007
【図６】
2007259741.tif 000008
【図７】
2007259741.tif 000009
【図８】
2007259741.tif 000010
【図９】
2007259741.tif 000011
【図１０】
2007259741.tif 000012
【図１１】
2007259741.tif 000013
【図１２】
2007259741.tif 000014
【図１３】
2007259741.tif 000015
【図１４】
2007259741.tif 000016
【図１５】
2007259741.tif 000017